(57)【要約】【課題】安価に製造可能で且つ外観を向上させた装飾具及びその装飾用玉係止方法を提供する。【解決手段】複数の装飾用玉（２，３）と、この複数の装飾用玉（２，３）を係止する複数の爪部４とを備える装飾具１において、複数の装飾用玉（２，３）のうち少なくとも１つの装飾用玉（２）は、隣接する複数の装飾用玉（３）により係止されている構成とする。【選択図】図１
2008136747.tif 000002
【特許請求の範囲】
【請求項１】
複数の装飾用玉と、該複数の装飾用玉を係止する複数の爪部とを備える装飾具において、
前記複数の装飾用玉のうち少なくとも１つの装飾用玉は、隣接する前記複数の装飾用玉により係止されていることを特徴とする装飾具。
【請求項２】
前記複数の装飾用玉は、ブリリアントカットされてなり、
前記係止された装飾用玉は、そのクラウン面が、前記係止する複数の装飾用玉のパビリオン面に当接することにより係止されることを特徴とする請求項１記載の装飾具。
【請求項３】
複数の爪部を用いて複数の装飾用玉を係止する装飾具の装飾用玉係止方法において、
少なくとも１つの前記装飾用玉を、隣接する前記複数の装飾用玉により係止させた状態で、前記少なくとも１つの装飾用玉を係止する複数の装飾用玉を、前記複数の爪部により係止させることを特徴とする装飾具の装飾用玉係止方法。
【発明の詳細な説明】
【技術分野】
【０００１】
本発明は、ダイヤモンド等の装飾用玉を複数有する装飾具及びその装飾用玉係止方法に関し、更に詳しくは、安価に製造可能で且つ外観を向上させた装飾具及びその装飾用玉係止方法に関する。
【背景技術】
【０００２】
従来、身体等を装飾する装身具において、ダイヤモンド等の複数の装飾用玉を備えたものが用いられている。そのような装飾具においては、通常、金属等の爪により、各装飾用玉を例えばその周縁部の４箇所において係止させている（例えば、特許文献１参照）。
【０００３】
図５は、従来の複数の装飾用玉を備えた装飾具を示す概略平面図である。
同図において、装飾具２１は、中央に配置された中央装飾用玉２２と、この中央装飾用玉２２の外周に配置された６個の外側装飾用玉２３と、これら中央装飾用玉２２及び外側装飾用玉２３を固定する爪部２４ａ，２４ｂとを備えている。
【０００４】
同図に示す装飾具２１では、隣接する外側装飾用玉２３の間の６箇所において、中央装飾用玉２２を係止する爪部２４ａと外側装飾用玉２３を係止する爪部２４ｂとが設けられているため、計１２個の爪部２４ａ，２４ｂが設けられていることになる。
【特許文献１】実用新案登録第３１０７０３１号公報
【発明の開示】
【発明が解決しようとする課題】
【０００５】
ところで、上述の装飾用玉を係止する爪部は、一般的に１８金やプラチナなどの高価な金属からなるため、爪部を多く用いると爪部のコストがかかり、ひいては装飾具の価格が高くなるという問題があった。
【０００６】
また、爪部を多く用いると、装飾用玉の係止のための工程が増加することにより、生産時間がかかり、この点も装飾愚の価格を上昇させる一因となっていた。
【０００７】
更には、爪部を多く用いると、爪部が装飾用玉を覆う面積が増えてしまうため、装飾用玉の外観、即ち装飾具の全体としての外観が損なわれてしまっていた。
【０００８】
本発明の課題は、上記従来の実情に鑑み、安価に製造可能で且つ外観を向上させた装飾具及びその装飾用玉係止方法を提供することである。
【課題を解決するための手段】
【０００９】
上記課題を解決するために、本発明の装飾具は、複数の装飾用玉と、この複数の装飾用玉を係止する複数の爪部とを備える装飾具において、上記複数の装飾用玉のうち少なくとも１つの装飾用玉は、隣接する上記複数の装飾用玉により係止されている構成とする。
【００１０】
また、上記複数の装飾用玉は、ブリリアントカットされてなり、上記係止された装飾用玉は、そのクラウン面が、上記係止する複数の装飾用玉のパビリオン面に当接することにより係止される構成とするとよい。
【００１１】
上記課題を解決するために、本発明の装飾具の装飾用玉係止方法は、複数の爪部を用いて複数の装飾用玉を係止する装飾具の装飾用玉係止方法において、少なくとも１つの上記装飾用玉を、隣接する上記複数の装飾用玉により係止させた状態で、上記少なくとも１つの装飾用玉を係止する複数の装飾用玉を、上記複数の爪部により係止させるようにする。
【発明の効果】
【００１２】
本発明では、複数の装飾用玉のうち少なくとも１つの装飾用玉を、隣接する複数の装飾用玉により係止させている。そのため、装飾用玉を係止する爪部の数を削減でき、したがって、爪部のコスト及び爪部による装飾用玉の係止工程を削減することができる。また、装飾用玉が爪部により覆われる面積が減るため、装飾用玉の外観が損なわれるのが防止される。よって、本発明によれば、装飾具を安価に製造できると共に装飾具の外観を向上させることができる。
【発明を実施するための最良の形態】
【００１３】
以下、本発明の実施の形態について、図面を参照しながら説明する。
図１は本発明の一実施の形態に係る装飾具を示す概略平面図であり、図２は、上記装飾具を示す概略側面図である。
【００１４】
図１及び図２において、装飾具１は、中央に配置された中央装飾用玉２と、この中央装飾用玉２の外側に配置された６個の外側装飾用玉３と、隣接する外側装飾用玉３間において外側装飾用玉３を係止する６個の爪部４と、これら６個の爪部４と一体に形成され外側装飾用玉３の下部を支持する基部５とを備えている。
【００１５】
装飾具１は、例えば基部５において、指輪、ペンダント、ピアス等の装身具等に取り付けられる。また、中央装飾用玉２及び外側装飾用玉３には、例えばダイヤモンド、ルビー、エメラルド、サファイア等を用いることができる。なお、基部５は、中央装飾用玉２の下部をも支持する構成とするとよいが、中央装飾用玉２の下部を支持しない構成とする場合には、中央装飾用玉２の脱落を防止するため、中央装飾用玉２の下部及び基部５を支持する台座等を設けるようにするとよい。
【００１６】
ここで、装飾具１は、中央装飾用玉２を、隣接する６個の外側装飾用玉３により係止させた状態で、外側装飾用玉３を、複数の爪部４により係止させてなる。具体的には、図３に示すように、中央装飾用玉２及び外側装飾用玉３は、共にブリリアントカットされてなり、中央装飾用玉２は、そのクラウン面２ａが、外側装飾用玉３のパビリオン面３ｂに当接することにより係止されている。
【００１７】
上記のブリリアントカットとは、ダイヤモンド等の宝石が最も輝くように５８面体等に形成するカット手法をいう。ブリリアントカットされた中央装飾用玉２及び外側装飾用玉３は、図３に示すように、上面たるテーブル面２ｃ，３ｃと、このテーブル面２ｃ，３ｃから最も幅広のガードル２ｄ，３ｄにかけて外側に且つ下方に延びるクラウン面２ａ，３ａと、ガードル２ｄ，３ｄから下端たるキューレット２ｅ，３ｅにかけて内側に且つ下方に延びるパビリオン面２ｂ，３ｂとを有している。
【００１８】
なお、本実施の形態では、中央装飾用玉２を１個の場合で説明したが、中央装飾用玉２は複数個であってもよい。また、複数の中央装飾用玉２の更に中央において、中央装飾用玉２に係止される装飾用玉を配置することもできる。更には、外側装飾用玉３の数は、６個の場合で説明したが、中央装飾用玉２を係止可能ならば２以上の数であればよい。
【００１９】
以上説明した本実施の形態では、中央装飾用玉２を、外側装飾用玉３により係止させている。そのため、爪部４の数を削減でき、したがって、爪部４のコスト及び爪部４による装飾用玉２，３の係止工程を削減することができる。また、中央装飾用玉２が爪部４により覆わないで済むため、中央装飾用玉２の外観が損なわれるのが防止される。よって、本実施の形態によれば、装飾具１を安価に製造できると共に装飾具１の外観を向上させることができる。
【００２０】
また、本実施の形態では、中央装飾用玉２及び外側装飾用玉３は、ブリリアントカットされてなり、中央装飾用玉２は、そのクラウン面２ａが、外側装飾用玉３のパビリオン面３ｂに当接することにより係止されている。そのため、平面同士が当接して状態で係止することになり、したがって、外側装飾用玉３による中央装飾用玉２の係止の構成が簡素である。よって、装飾具１をより安価に製造できると共に装飾具１の外観を一層向上させることができる。
【００２１】
図４は、本発明の他の実施の形態に係る装飾具を示す概略平面図である。
同図に示す装飾具１１は、中央に配置された中央装飾用玉１２と、この中央装飾用玉１２の外側に配置された２個の外側装飾用玉１３と、これら内側装飾用玉１２及び外側装飾用玉１３を係止する８個の爪部１４と、これら８個の爪部４と一体に形成され中央装飾用玉１２及び外側装飾用玉１３の下部を支持する図示しない基部とを備えている。
【００２２】
ここで、装飾具１１は、中央装飾用玉１２を、隣接する２個の外側装飾用玉１３により係止させた状態で、内側装飾用玉１２及び外側装飾用玉１３を、複数の爪部１４により係止させてなる。具体的には、中央装飾用玉１２及び外側装飾用玉１３は、上記実施の形態（図３）と同様に、共にブリリアントカットされてなり、中央装飾用玉１２は、そのクラウン面が、外側装飾用玉１３のパビリオン面に当接することにより係止されている。
【００２３】
なお、本実施の形態では、外側装飾用玉１３に加え内側装飾用玉１２をも爪部１４により係止させているが、内側装飾用玉１２を外側装飾用玉１３により係止させない場合、即ち本発明の係止方法を適用しない場合には、図４に示す形状の爪部１４ならば最低３個の爪部１４が必要となる。この点、本実施の形態では、外側装飾用玉１３により内側装飾用玉１２を係止させているため、これよりも少ない２個の爪部１４のみで内側装飾用玉１２を係止させることが可能となっている。
【００２４】
以上説明した本実施の形態では、中央装飾用玉１２を、外側装飾用玉１３により係止させている。そのため、爪部１４の数を削減でき、したがって、爪部１４のコスト及び爪部１４による係止のための工程を削減することができる。また、中央装飾用玉１２及び外側装飾用玉１３が爪部１４により覆われる面積が減るため、中央装飾用玉１２及び外側装飾用玉１３の外観が損なわれるのが防止される。よって、本実施の形態によれば、上記実施の形態と同様に、装飾具１１を安価に製造できると共に装飾具１１の外観を向上させることができる。
【図面の簡単な説明】
【００２５】
【図１】本発明の一実施の形態に係る装飾具を示す概略平面図である。
【図２】上記装飾具を示す概略側面図である。
【図３】図１のIII−III断面図である。
【図４】本発明の他の実施の形態に係る装飾具を示す概略平面図である。
【図５】従来の複数の装飾用玉を備えた装飾具を示す概略平面図である。
【符号の説明】
【００２６】
１      装飾具
２      中央装飾用玉
３      外側装飾用玉
４      爪部
５      基部
１１      装飾具
１２      中央装飾用玉
１３      外側装飾用玉
１４      爪部
【図１】
2008136747.tif 000003
【図３】
2008136747.tif 000004
【図４】
2008136747.tif 000005
【図５】
2008136747.tif 000006
【図２】
2008136747.tif 000007